(57)【要約】【課題】本発明は、バックライト装置の回路構成を小型化、省電力化及び低コスト化する。【解決手段】本発明のバックライト装置は、複数の放電管を各々有する複数の放電管ブロックと、前記放電管ブロック毎に接続され、前記複数の放電管を各々点灯／消灯する駆動信号を前記放電管ブロックに出力する複数のインバータ回路と、前記インバータ回路毎に接続され、前記インバータ回路を駆動制御する駆動制御信号を出力する複数の駆動制御回路と、前記複数の駆動制御回路に接続され、前記複数の放電管ブロックにおける前記複数の放電管の各点灯時間を設定する複数のパルス信号を出力するインバータコントローラと、を備え、前記複数の駆動制御回路は、外部から前記駆動制御回路毎に入力されるブロック別点灯時間制御信号に応じて前記駆動制御信号の出力を継続又は停止することを特徴とする。【選択図】図２
2012015053.tif 000002
【特許請求の範囲】
【請求項１】
複数の放電管を各々有する複数の放電管ブロックと、
前記放電管ブロック毎に接続され、前記複数の放電管を各々点灯／消灯する駆動信号を前記放電管ブロックに出力する複数のインバータ回路と、
前記インバータ回路毎に接続され、前記インバータ回路を駆動制御する駆動制御信号を出力する複数の駆動制御回路と、
前記複数の駆動制御回路に接続され、前記複数の放電管ブロックにおける前記複数の放電管の各点灯時間を設定する複数のパルス信号を出力するインバータコントローラと、
を備え、
前記複数の駆動制御回路は、外部から前記駆動制御回路毎に入力されるブロック別点灯時間制御信号に応じて前記駆動制御信号の出力を継続又は停止することを特徴とするバックライト装置。
【請求項２】
前記複数の駆動制御回路は、外部のコントローラから前記駆動制御回路毎に入力されるブロック別点灯時間制御信号に応じて前記駆動制御信号の出力を継続又は停止することを特徴とする請求項１記載のバックライト装置。
【請求項３】
前記複数の放電管ブロックのうち少なくとも一つの放電管ブロックに流れる電流を検出して電流帰還信号を出力するフィードバック回路と、
前記ブロック別点灯時間制御信号に応じて前記電流帰還信号を保持する帰還信号保持回路と、を更に備え、
前記インバータコントローラは、前記帰還信号保持回路により保持された前記電流帰還信号の電位に応じて前記複数の放電管の各点灯時間を調整する前記パルス信号を出力することを特徴とする請求項１記載のバックライト装置。
【請求項４】
前記インバータコントローラは、前記前記電流帰還信号の電位と基準電圧との比較結果に応じて前記複数の放電管の各点灯時間を調整する前記パルス信号を出力することを特徴とする請求項３記載のバックライト装置。
【請求項５】
前記インバータ回路は、インバータトランスを有し、
前記フィードバック回路は、前記インバータトランスの二次側コイルに流れる電流を検出して前記電流帰還信号として出力することを特徴とする請求項１又は３に記載のバックライト装置。
【請求項６】
前記フィードバック回路は、前記インバータトランスの一次側コイルに流れる電流を検出して前記電流帰還信号として出力することを特徴とする請求項５記載のバックライト装置。
【請求項７】
複数の放電管を各々有する複数の放電管ブロックに各々接続され、前記複数の放電管を各々点灯／消灯する駆動信号を前記放電管ブロックに出力する複数のインバータ回路と、
前記インバータ回路毎に接続され、前記インバータ回路を駆動制御する駆動制御信号を出力する複数の駆動制御回路と、
前記複数の駆動制御回路に接続され、前記複数の放電管ブロックにおける前記複数の放電管の各点灯時間を設定する複数のパルス信号を出力するインバータコントローラと、
を備え、
前記複数の駆動制御回路は、外部から前記駆動制御回路毎に入力されるブロック別点灯時間制御信号に応じて前記駆動制御信号の出力を継続又は停止することを特徴とする電流安定化回路。
【請求項８】
前記複数の駆動制御回路は、外部のコントローラから前記駆動制御回路毎に入力されるブロック別点灯時間制御信号に応じて前記駆動制御信号の出力を継続又は停止することを特徴とする請求項７記載の電流安定化回路。
【請求項９】
前記複数の放電管ブロックのうち少なくとも一つの放電管ブロックに流れる電流を検出して電流帰還信号を出力するフィードバック回路と、
前記ブロック別点灯時間制御信号に応じて前記電流帰還信号を保持する帰還信号保持回路と、を更に備え、
前記インバータコントローラは、前記帰還信号保持回路により保持された前記電流帰還信号の電位に応じて前記複数の放電管の各点灯時間を調整する前記パルス信号を出力することを特徴とする請求項７記載の電流安定化回路。
【請求項１０】
前記インバータコントローラは、前記前記電流帰還信号の電位と基準電圧との比較結果に応じて前記複数の放電管の各点灯時間を調整する前記パルス信号を出力することを特徴とする請求項９記載の電流安定化回路。
【請求項１１】
前記インバータ回路は、インバータトランスを有し、
前記フィードバック回路は、前記インバータトランスの二次側コイルに流れる電流を検出して前記電流帰還信号として出力することを特徴とする請求項７又は９に記載の電流安定化回路。
【請求項１２】
前記フィードバック回路は、前記インバータトランスの一次側コイルに流れる電流を検出して前記電流帰還信号として出力することを特徴とする請求項１１記載の電流安定化回路。
【発明の詳細な説明】
【技術分野】
【０００１】
本発明は、液晶表示装置の光源に使用する複数の冷陰極管等の放電管及び該複数の放電管を点灯させるバックライト装置及びその電流安定化回路に関する。
【背景技術】
【０００２】
従来、液晶表示装置(ＬＣＤ)は、軽量、薄型、低消費電力駆動等の機能が求められてきた。液晶表示装置は、自発光表示装置ではないため光源が必要になる。光源としては冷陰極管が使用されている。冷陰極管を点灯させるための交流高電圧を発生させる回路としてはインバータ回路が用いられる。また、バックライトの消費電力を低減するため、複数の冷陰極管をブロック単位に分割し、冷陰極管ブロック毎に時分割で点灯制御を行うブロック別点灯時間制御（Ｌｏｃａｌ  Ｄｉｍｍｉｎｇ）において、インバータ回路が利用されている。
【０００３】
このインバータ回路を用いたバックライト装置１の構成例を図１に示す。図１に示すバックライト装置１は、冷陰極管（ＣＣＦＬ：Cold Cathode Fluorescent Lamp）ブロック５０〜５５別にインバータコントローラ２０〜２５、ゲートドライバ３０〜３５及びインバータ回路４０〜４５を接続したものである。このバックライト装置１では、表示画像内の部分輝度に応じて、ローカルディミングコントローラ１０から出力するＰＷＭ信号ＰＷＭ０〜ＰＷＭ５によりインバータコントローラ２０〜２５を駆動するタイミングを時分割制御して、各冷陰極管ブロック５０〜５５の点灯時間を制御するブロック別点灯時間制御するようにしている。
【０００４】
インバータコントローラ２０〜２５は、オペアンプＯＰ１〜ＯＰ６を内蔵し、各オペアンプＯＰ１〜ＯＰ６の入力段は、ローカルディミングコントローラ１０とダイオードＤ０〜Ｄ５を介して接続されている。インバータ回路４０は、４つのＦＥＴ１〜ＦＥＴ４とインバータトランスＴ１により構成されており、インバータトランスＴ１の二次側コイルには、冷陰極管ＣＣＦＬ１及びＣＣＦＬ２に流れる電流を各々検出する抵抗Ｒ１及びＲ２を接続している。インバータ回路４０は、抵抗Ｒ１及びＲ２により検出する信号を電流帰還信号ＦＢとしてダイオードＤ１及びＤ２を介してインバータコントローラ２０に出力している。インバータコントローラ２０は、インバータ回路４０から入力される電流帰還信号ＦＢをローカルディミングコントローラ１０から入力されるＰＷＭ信号ＰＷＭ０に重畳して、ゲート駆動パルス信号ＮＡ１及びＮＢ１を発生してゲートドライバ３０に出力する。ゲートドライバ３０は、インバータコントローラ２０から入力されるゲート駆動パルス信号ＮＡ１及びＮＢ１によりインバータ回路４０内の４つのＦＥＴ１〜ＦＥＴ４の各ゲートのＯＮ時間（デューティ比）を制御する駆動制御信号をインバータ回路４０に出力する。インバータ回路４０は、ゲートドライバ３０から入力される駆動制御信号により４つのＦＥＴ１〜ＦＥＴ４の各ゲートのＯＮ時間を制御することにより、インバータトランスＴ１から高圧交流電圧を発生させて冷陰極管ブロック５０内の各冷陰極管ＣＣＦＬ１及びＣＣＦＬ２に印加して、各冷陰極管ＣＣＦＬ１及びＣＣＦＬ２を点灯／消灯させる。
【０００５】
インバータコントローラ２１〜２５、ゲートドライバ３１〜３４及びインバータ回路４１〜４５は、インバータコントローラ２０、ゲートドライバ３０及びインバータ回路４０と同様の構成であるため、その構成説明は省略する。
【０００６】
また、上記以外のバックライト装置用のインバータ回路としては、例えば、特許文献１に記載されたインバータ駆動回路がある。このインバータ駆動回路では、蛍光管に印加される交流電圧のピークを整流するコンデンサを備え、起動時にコンデンサのチャージにかかるデッドタイムを調整することにより、起動時にコンデンサの出力電圧が過大になることを防止している。
【０００７】
また、特許文献２に記載された表示装置用光源の駆動装置では、複数の光源に流れる電流を感知してフィードバック信号として出力する電流感知部を備え、フィードバック信号と制御電圧を比較し、その比較結果によってインバータの動作を制御して、複数の光源が並列に連結されたランプ部に渦電流が流れることを抑制している。
【０００８】
また、特許文献３に記載された表示装置では、複数の光源に流れる電流に相当する感知電圧を出力する電流感知部と、感知電圧と基準電圧を比較して光源の動作状態を判断する判断信号を出力する正常点灯判別部と、を備えることにより、光源のアーク発生や組み立て時の不良発生を減少させている。
【先行技術文献】
【特許文献】
【０００９】
【特許文献１】特開平８−１６７４８９号公報
【特許文献２】特開２００４−２６５８６８号公報
【特許文献３】特開２００５−３２７７２５号公報
【発明の概要】
【発明が解決しようとする課題】
【００１０】
しかしながら、上述したバックライト装置１では、冷陰極管ブロック数分のインバータコントローラが必要になり、液晶表示装置の製造コストを増加させ、その実装面積も大きくなるという問題がある。また、バックライト装置１では、インバータコントローラ毎に電流帰還信号をフィードバックするフィードバック回路が必要になり、回路構成と制御が複雑になるという問題もある。
【００１１】
すなわち、このようなバックライト装置１における問題は、特に、液晶表示装置の表示画質向上と低消費電力化を目的として提案されている冷陰極管ブロックのブロック別点灯時間制御機能を実現する上でコスト上昇が障害となる。このような問題は、上述の特許文献１〜３の各装置を利用したとしても解決することはできない。
【００１２】
本発明の目的は、複数の冷陰極管ブロックのブロック別点灯時間制御機能を実現する回路構成を簡略化し、バックライト装置の回路構成を小型化、省電力化及び低コスト化することである。
【課題を解決するための手段】
【００１３】
本発明の一実施の形態に係るバックライト装置は、複数の放電管を各々有する複数の放電管ブロックと、前記放電管ブロック毎に接続され、前記複数の放電管を各々点灯／消灯する駆動信号を前記放電管ブロックに出力する複数のインバータ回路と、前記インバータ回路毎に接続され、前記インバータ回路を駆動制御する駆動制御信号を出力する複数の駆動制御回路と、前記複数の駆動制御回路に接続され、前記複数の放電管ブロックにおける前記複数の放電管の各点灯時間を設定する複数のパルス信号を出力するインバータコントローラと、を備え、前記複数の駆動制御回路は、外部から前記駆動制御回路毎に入力されるブロック別点灯時間制御信号に応じて前記駆動制御信号の出力を継続又は停止することを特徴とすることを特徴とする。このバックライト装置によれば、放電管ブロックのブロック数に関わらずインバータコントローラを一つで構成することができ、インバータコントローラの回路数を削減して、バックライト装置の回路構成を小型化、省電力化及び低コスト化を図ることができる。
【００１４】
また、前記複数の駆動制御回路は、外部のコントローラから前記駆動制御回路毎に入力されるブロック別点灯時間制御信号に応じて前記駆動制御信号の出力を継続又は停止してもよい。このバックライト装置によれば、一つのインバータコントローラにより複数の放電管ブロックに流れる電流の安定化を図ることができる。
【００１５】
また、前記複数の放電管ブロックのうち少なくとも一つの放電管ブロックに流れる電流を検出して電流帰還信号を出力するフィードバック回路と、前記ブロック別点灯時間制御信号に応じて前記電流帰還信号を保持する帰還信号保持回路と、を更に備え、前記インバータコントローラは、前記帰還信号保持回路により保持された前記電流帰還信号の電位に応じて前記複数の放電管の各点灯時間を調整する前記パルス信号を出力してもよい。このバックライト装置によれば、一つの放電管ブロックに流れる電流の変動に応じて、当該放電管ブロック及び他の複数の放電管ブロックの各点灯時間を設定する各駆動パルス信号のデューティ比を適宜調整することができる。
【００１６】
また、前記インバータコントローラは、前記前記電流帰還信号の電位と基準電圧との比較結果に応じて前記複数の放電管の各点灯時間を調整する前記パルス信号を出力してもよい。このバックライト装置によれば、一つのインバータコントローラにより複数の放電管ブロックに流れる電流の安定化を図ることができる。
【００１７】
また、前記インバータ回路は、インバータトランスを有し、前記フィードバック回路は、前記インバータトランスの二次側コイルに流れる電流を検出して前記電流帰還信号として出力してもよい。このバックライト装置によれば、一つの放電管ブロックに流れる電流の変動に応じて当該放電管ブロック及び他の複数の放電管ブロックの各点灯時間を設定する各駆動パルス信号のデューティ比を適宜調整することができる。
【００１８】
また、前記フィードバック回路は、前記インバータトランスの一次側コイルに流れる電流を検出して前記電流帰還信号として出力してもよい。このバックライト装置によれば、インバータ回路に流れる電流の変動に応じて駆動パルス信号のデューティ比を適宜調整することが可能になる。また、フィードバック回路を耐圧の低い回路として構成することができる。
【００１９】
本発明の一実施の形態に係る電流安定化回路は、複数の放電管を各々有する複数の放電管ブロックに各々接続され、前記複数の放電管を各々点灯／消灯する駆動信号を前記放電管ブロックに出力する複数のインバータ回路と、前記インバータ回路毎に接続され、前記インバータ回路を駆動制御する駆動制御信号を出力する複数の駆動制御回路と、前記複数の駆動制御回路に接続され、前記複数の放電管ブロックにおける前記複数の放電管の各点灯時間を設定する複数のパルス信号を出力するインバータコントローラと、を備え、前記複数の駆動制御回路は、外部から前記駆動制御回路毎に入力されるブロック別点灯時間制御信号に応じて前記駆動制御信号の出力を継続又は停止することを特徴とする。この電流安定化回路によれば、負荷側の放電管ブロックのブロック数に関わらずインバータコントローラを一つで構成することができ、インバータコントローラの回路数を削減して、電流安定化回路の回路構成を小型化、省電力化及び低コスト化を図ることができ、電流安定化回路を搭載する電子機器の小型化、省電力化及び低コスト化を図ることができる。
【００２０】
また、前記複数の駆動制御回路は、外部のコントローラから前記駆動制御回路毎に入力されるブロック別点灯時間制御信号に応じて前記駆動制御信号の出力を継続又は停止してもよい。この電流安定化回路によれば、一つのインバータコントローラにより複数の放電管ブロックに流れる電流の安定化を図ることができる。
【００２１】
また、前記複数の放電管ブロックのうち少なくとも一つの放電管ブロックに流れる電流を検出して電流帰還信号を出力するフィードバック回路と、前記ブロック別点灯時間制御信号に応じて前記電流帰還信号を保持する帰還信号保持回路と、を更に備え、前記インバータコントローラは、前記帰還信号保持回路により保持された前記電流帰還信号の電位に応じて前記複数の放電管の各点灯時間を調整する前記パルス信号を出力してもよい。この電流安定化回路によれば、一つの放電管ブロックに流れる電流の変動に応じて、当該放電管ブロック及び他の複数の放電管ブロックの各点灯時間を設定する各駆動パルス信号のデューティ比を適宜調整することができる。
【００２２】
また、前記インバータコントローラは、前記前記電流帰還信号の電位と基準電圧との比較結果に応じて前記複数の放電管の各点灯時間を調整する前記パルス信号を出力してもよい。この電流安定化回路によれば、一つのインバータコントローラにより複数の放電管ブロックに流れる電流の安定化を図ることができる。
【００２３】
また、前記インバータ回路は、インバータトランスを有し、前記フィードバック回路は、前記インバータトランスの二次側コイルに流れる電流を検出して前記電流帰還信号として出力してもよい。この電流安定化回路によれば、一つの放電管ブロックに流れる電流の変動に応じて当該放電管ブロック及び他の複数の放電管ブロックの各点灯時間を設定する各駆動パルス信号のデューティ比を適宜調整することができる。
【００２４】
また、前記フィードバック回路は、前記インバータトランスの一次側コイルに流れる電流を検出して前記電流帰還信号として出力してもよい。この電流安定化回路によれば、インバータ回路に流れる電流の変動に応じて駆動パルス信号のデューティ比を適宜調整することが可能になる。また、フィードバック回路を耐圧の低い回路として構成することができる。
【発明の効果】
【００２５】
本発明によれば、インバータコントローラの回路数を削減して、複数の冷陰極管ブロックのブロック別点灯時間制御機能を実現する回路構成を簡略化し、バックライト装置の回路構成を小型化、省電力化及び低コスト化することができる。
【図面の簡単な説明】
【００２６】
【図１】従来のバックライト装置の回路構成を示す図である。
【図２】本発明の実施形態１に係るバックライト装置の回路構成を示す図である。
【図３】本発明の実施形態２に係るバックライト装置の回路構成を示す図である。
【図４】本発明の実施形態３に係るバックライト装置の回路構成を示す図である。
【図５】本発明の実施形態１〜３に係るゲートドライバの回路構成例を示す図である。
【図６】本発明の実施形態４に係るバックライト装置の具体的な回路構成例を示す図である。
【図７】図６のインバータ回路内のインバータトランスの回路構成例を示す図である。
【図８】本発明の実施形態２及び３に係るインバータコントローラの回路構成例を示す図である。
【図９】本発明の実施形態３に係るバックライト装置の具体的な動作例を示す図であり、（Ａ）はデューティ比８０％で駆動した場合の駆動パルス信号と冷陰極管ブロックに流れる冷陰極管電流とを測定した結果を示す図、（Ｂ）はデューティ比２０％で駆動した場合の駆動パルス信号と冷陰極管ブロックに流れる冷陰極管電流とを測定した結果を示す図である。
【図１０】本発明の実施形態５に係る液晶表示装置の要部構成を示すブロック図である。
【図１１】本発明の実施形態５に係る液晶表示装置の構造を示す分解斜視図である。
【発明を実施するための形態】
【００２７】
（実施形態１）
以下、本発明の実施形態１に係るバックライト装置について、図面を参照しながら詳細に説明する。
【００２８】
＜回路構成＞
図２は、実施形態１に係るバックライト装置１００の回路構成を示す図である。図２において、バックライト装置１００は、インバータコントローラ１２０と、ゲートドライバ１３０〜１３５と、インバータ回路１４０〜１４５と、冷陰極管ブロック１５０〜１５５と、を備える。また、バックライト装置１００は、複数のゲートドライバ１３０〜１３５の入力段にローカルディミングコントローラ１１０が接続されている。
【００２９】
このバックライト装置１００では、複数のゲートドライバ１３０〜１３５に対して一つのインバータコントローラ１２０を接続する構成としたことに特徴がある。インバータコントローラ１２０から駆動パルス信号Ｎ１及びＮ２を複数のゲートドライバ１３０〜１３５に対して出力して駆動制御し、駆動パルス信号Ｎ１及びＮ２のゲートドライバ１３０〜１３５内における通電／遮断は、ローカルディミングコントローラ１１０から出力されるブロック別点灯時間制御信号ＰＷＭ０〜ＰＷＭ５により制御することに特徴がある。このため、バックライト装置１００は、図１に示した従来のバックライト装置１と比べてインバータコントローラ１２０の回路数を削減して、バックライト装置の回路構成を小型化、省電力化及び低コスト化を図ることに特徴がある。
【００３０】
図２において、ローカルディミングコントローラ１１０は、表示画像内の部分輝度に応じて、インバータコントローラ１２０から駆動パルス信号Ｎ１及びＮ２のゲートドライバ１３０〜１３５内における通電／遮断（ＯＮ／ＯＦＦ）を制御するブロック別点灯時間制御信号ＰＷＭ０〜ＰＷＭ５を各ゲートドライバ１３０〜１３５の入力段に出力する。
【００３１】
インバータコントローラ１２０は、出力段が複数のゲートドライバ１３０〜１３５の駆動パルス入力段に接続されている。インバータコントローラ１２０は、ローカルディミングコントローラ１１０から出力されるブロック別点灯時間制御信号ＰＷＭ０〜ＰＷＭ５とは無関係に、各冷陰極管ブロック１５０〜１５５に流れる冷陰極管電流が最適になるような駆動パルス信号Ｎ１及びＮ２をゲートドライバ１３０〜１３５に対して定常的に出力する。
【００３２】
ゲートドライバ（駆動制御回路）１３０〜１３５は、出力段がインバータ回路１４０〜１４５のＦＥＴ１〜ＦＥＴ４、ＦＥＴ１１〜ＦＥＴ１４（インバータ回路１４２〜１４５のＦＥＴについては図示を省略）の各ゲート電極に接続されている。ゲートドライバ１３０〜１３５は、ローカルディミングコントローラ１１０から出力されるブロック別点灯時間制御信号ＰＷＭ０〜ＰＷＭ５に応じて、インバータコントローラ１２０から出力される駆動パルス信号Ｎ１及びＮ２を通電／遮断（ＯＮ／ＯＦＦ）してインバータ回路１４０〜１４５のＦＥＴ１〜ＦＥＴ４、ＦＥＴ１１〜ＦＥＴ１４等の各ゲート電極に対して駆動制御信号を出力する。
【００３３】
インバータ回路１４０〜１４５は、ＦＥＴ１〜ＦＥＴ４、ＦＥＴ１１〜ＦＥＴ１４等と、インバータトランスＴ１、Ｔ１１（インバータ回路１４２〜１４５のインバータトランスについては図示省略）を有する。インバータ回路１４０〜１４５は、各ゲートドライバ１３０〜１３５から出力される駆動制御信号によりＦＥＴ１〜ＦＥＴ４、ＦＥＴ１１〜ＦＥＴ１４がＯＮ／ＯＦＦ制御されると、インバータトランスＴ１、Ｔ１１から高圧交流電圧を発生して各冷陰極管ブロック１５０〜１５５内の冷陰極管ＣＣＦＬ１〜ＣＣＦＬ１２に供給して、ブロック単位で冷陰極管ＣＣＦＬ１〜ＣＣＦＬ１２を時分割に点灯／消灯させる。
【００３４】
なお、図２では、インバータ回路１４２〜１４５の回路構成は、インバータ回路１４０、１４１の回路構成と同様であるため、その回路構成の図示は省略している。また、図２において、インバータコントローラ１２０、ゲートドライバ１３０〜１３５、及びインバータ回路１４０〜１４５は、電流安定化回路を構成する。
【００３５】
＜回路動作＞
まず、インバータコントローラ１２０からは、各冷陰極管ブロック１５０〜１５５に流れる冷陰極管電流が最適になるような駆動パルス信号Ｎ１及びＮ２がゲートドライバ１３０〜１３５の各入力段に対して定常的に出力される。
【００３６】
ローカルディミングコントローラ１１０からは、表示画像内の部分輝度に応じたブロック別点灯時間制御信号ＰＷＭ０〜ＰＷＭ５が各ゲートドライバ１３０〜１３５の入力段に出力される。このブロック別点灯時間制御信号ＰＷＭ０〜ＰＷＭ５は、図中に示すようなパルス信号である。このブロック別点灯時間制御信号ＰＷＭ０〜ＰＷＭ５が“Ｈｉ：点灯”の時、ゲートドライバ１３０〜１３５内では、駆動パルス信号Ｎ１及びＮ２が通電され、駆動パルス信号Ｎ１及びＮ２に応じた駆動制御信号がインバータ回路１４０〜１４５のＦＥＴ１〜ＦＥＴ４、ＦＥＴ１１〜ＦＥＴ１４等の各ゲート電極に出力される。この時、駆動パルス信号Ｎ１及びＮ２に応じて各冷陰極管ブロック１５０〜１５５内の冷陰極管ＣＣＦＬ１〜ＣＣＦＬ１２は、そのブロック単位で点灯が時分割制御される。
【００３７】
また、ブロック別点灯時間制御信号ＰＷＭ０〜ＰＷＭ５が“Ｌｏｗ：消灯”の時、ゲートドライバ１３０〜１３５内では、駆動パルス信号Ｎ１及びＮ２が遮断され、駆動制御信号の出力が停止される。したがって、ブロック別点灯時間制御信号ＰＷＭ０〜ＰＷＭ５が“Ｌｏｗ：消灯”期間は、各冷陰極管ブロック１５０〜１５５内の冷陰極管ＣＣＦＬ１〜ＣＣＦＬ１２は消灯される。
【００３８】
以上のように、本発明の実施形態１に係るバックライト装置１００では、冷陰極管ブロック１５０〜１５５のブロック数に関わらずインバータコントローラ１２０を一つで構成することが可能になる。したがって、本発明の実施形態１に係るバックライト装置１００は、図１に示した従来のバックライト装置１と比べてインバータコントローラ１２０の回路数を削減して、バックライト装置の回路構成を小型化し、省電力化及び低コスト化を図ることが可能になる。また、本発明の実施形態１に係るバックライト装置１００は、一つのインバータコントローラ１２０により複数の冷陰極管ブロック１５０〜１５５に流れる電流の安定化を図ることが可能になる。さらに、電流安定化回路の回路構成を小型化し、省電力化及び低コスト化を図ることが可能になり、電流安定化回路を搭載するバックライト装置等の電子機器の小型化、省電力化及び低コスト化を図ることも可能になる。
【００３９】
なお、上記実施形態１に係るバックライト装置１００では、一つのインバータコントローラ１２０を用いて複数の冷陰極管ブロックの時分割点灯制御を行うことを実現可能であることを示したが、バックライト装置１００が搭載される機器の環境温度等を検出する環境温度センサを設け、この検出温度に応じた電圧をインバータコントローラ１２０にフィードバックして、駆動パルス信号Ｎ１及びＮ２のデューティ比を調整する等のフィードバック機能を追加するようにしてもよい。このようなフィードバック機能を設けた場合、環境温度の変化に応じて変化する冷陰極管ブロックのインピーダンス変動に対応して駆動パルス信号Ｎ１及びＮ２のデューティ比を調整して、冷陰極管ブロックの点灯状態の安定化を図ることが可能になる。但し、この場合もインバータ回路毎にフィードバック機能を持たせる必要はなく、一つのインバータコントローラに対してフィードバック機能を追加するだけで複数の冷陰極管ブロック全体の安定動作を図ることが可能である。
【００４０】
（実施形態２）
次に、本発明に係る実施形態２のバックライト装置２００について図３を参照して説明する。図３は、実施形態２に係るバックライト装置２００の回路構成を示す図である。なお、図３において、図２に示したバックライト装置１００と同一の構成部分には同一符号を付して、その構成説明を省略する。本発明の実施形態２に係るバックライト装置２００では、一つのインバータ回路２４０内のインバータトランスＴ１の二次側コイルに冷陰極管ブロックに流れる電流を検出する抵抗Ｒ１及びＲ２を有し、これらの抵抗Ｒ１及びＲ２により検出される電圧を電流帰還信号ＦＢとして出力するフィードバック回路２６０と、電流帰還信号ＦＢを保持する帰還信号保持回路２７０と、を更に備えることに特徴がある。
【００４１】
＜回路構成＞
インバータコントローラ２２０は、オペアンプを有し、その反転入力端子（−）には帰還信号保持回路２７０において保持される電流帰還信号ＦＢの電圧が入力され、非反転入力端子（＋）には基準電圧（図示せず）が入力される。インバータコントローラ２２０は、基準電圧と電流帰還信号ＦＢの電圧とを比較し、その比較結果により駆動パルス信号Ｎ１及びＮ２のデューティ比を調整する。
【００４２】
フィードバック回路２６０は、インバータ回路２４０内のインバータトランスＴ１の二次側コイルに接続された抵抗Ｒ１及びＲ２と、ダイオードＤ１１及びＤ１２と、を有する。フィードバック回路２６０は、冷陰極管ブロック１５０内の冷陰極管ＣＣＦＬ１及びＣＣＦＬ２に流れる電流を抵抗Ｒ１及びＲ２により検出し、これらの抵抗Ｒ１及びＲ２により検出される電圧をダイオードＤ１１及びＤ１２を介して電流帰還信号ＦＢとしてインバータコントローラ１２０と帰還信号保持回路２７０に出力する。
【００４３】
帰還信号保持回路２７０は、電流帰還信号ＦＢを保持する保持用キャパシタＣと、電流帰還信号ＦＢの保持動作を切り替える保持用ＦＥＴと、を有する。保持用ＦＥＴは、ローカルディミングコントローラ１１０から出力されるブロック別点灯時間制御信号ＰＷＭ０に応じてＯＮ／ＯＦＦし、ＯＦＦ時に保持用キャパシタＣによる電流帰還信号ＦＢの保持動作を維持し、ＯＮ時に保持用キャパシタＣに保持された電流帰還信号ＦＢを放電させる。なお、図３において、インバータコントローラ２２０、ゲートドライバ１３０〜１３５、及びインバータ回路２４０、１４１〜１４５、フィードバック回路２６０及び帰還信号保持回路２７０は、電流安定化回路を構成する。
【００４４】
＜回路動作＞
冷陰極管ブロック１５０が点灯中は、フィードバック回路２６０が動作し、フィードバック回路２６０から出力される電流帰還信号ＦＢが帰還信号保持回路２７０の保持用キャパシタＣに保持される。この保持用キャパシタＣに保持された電流帰還信号ＦＢの電圧により、インバータコントローラ１２０では、駆動パルス信号Ｎ１及びＮ２は、各冷陰極管ブロック１５０〜１５５に流れる冷陰極管電流が目標値（基準電圧に基づくデューティ比）になるように制御される。
【００４５】
冷陰極管ブロック１５０が消灯中は、保持用キャパシタＣにおける電流帰還信号ＦＢの保持が維持される。すなわち、帰還信号保持回路２７０における保持用キャパシタＣによる電流帰還信号ＦＢの保持／放電動作は、冷陰極管ブロック１５０が点灯動作／消灯動作に同期するローカルディミングコントローラ１１０から出力されるブロック別点灯時間制御信号ＰＷＭ０が“Ｈｉ：点灯”の時に保持、ブロック別点灯時間制御信号ＰＷＭ０が“Ｌｏｗ：消灯”の時に保持した電圧を維持することになる。このため、冷陰極管ブロック１５０が消灯中であっても、インバータコントローラ１２０は、保持用キャパシタＣに保持された電流帰還信号ＦＢの電圧に応じて調整した駆動パルス信号Ｎ１及びＮ２を他の冷陰極管ブロック１５１〜１５５に対して出力することが可能になるため、他の冷陰極管ブロック１５１〜１５５に流れる陰極管電流も目標値に各々制御される。
【００４６】
以上のように、本発明の実施形態２に係るバックライト装置２００では、冷陰極管ブロック１５０〜１５５のブロック数に関わらずフィードバック機能を追加してインバータコントローラ１２０を一つで構成することが可能になる。したがって、本発明の実施形態２に係るバックライト装置２００は、図１に示した従来のバックライト装置１と比べてインバータコントローラ１２０の回路数を削減し、かつ、フィードバック機能を最小限の回路構成で追加することができ、バックライト装置の回路構成を小型化し、省電力化及び低コスト化を図ることが可能になる。また、本発明の実施形態２に係るバックライト装置２００は、一つの冷陰極管ブロック１５０に流れる電流の変動に応じて、当該冷陰極管ブロック１５０及び他の複数の冷陰極管ブロック１５１〜１５５の各点灯時間を設定する各駆動パルス信号のデューティ比を適宜調整することが可能になる。
【００４７】
（実施形態３）
次に、本発明に係る実施形態３のバックライト装置３００について図４を参照して説明する。図４は、実施形態３に係るバックライト装置３００の回路構成を示す図である。なお、図４において、図２に示したバックライト装置１００及び図３に示したバックライト装置３００と同一の構成部分には同一符号を付して、その構成説明を省略する。本発明の実施形態３に係るバックライト装置３００では、一つのインバータ回路３４０内のインバータトランスＴ１の一次側コイルに流れる電流を検出する電流検出用トランスＣＴを有し、この電流検出用トランスＣＴにより検出される電圧を電流帰還信号ＦＢとして出力するフィードバック回路３６０と、電流帰還信号ＦＢを保持する帰還信号保持回路２７０と、を更に備えることに特徴がある。
【００４８】
＜回路構成＞
インバータコントローラ３２０は、オペアンプを有し、その反転入力端子（−）には帰還信号保持回路２７０において保持される電流帰還信号ＦＢの電圧が入力され、非反転入力端子（＋）には基準電圧（図示せず）が入力される。インバータコントローラ３２０は、基準電圧と電流帰還信号ＦＢの電圧とを比較し、その比較結果により駆動パルス信号Ｎ１及びＮ２のデューティ比を調整する。
【００４９】
フィードバック回路３６０は、インバータ回路３４０内のインバータトランスＴ１の一次側コイルに直列に接続された電流検出用トランスＣＴと、ダイオードＤ２１と、を有する。フィードバック回路３６０は、インバータ回路３４０内のインバータトランスＴ１の一次側コイルに流れる電流を電流検出用トランスＣＴにより検出し、この電流検出用トランスＣＴにより検出される電圧をダイオードＤ２１を介して電流帰還信号ＦＢとしてインバータコントローラ１２０と帰還信号保持回路２７０に出力する。なお、図４において、インバータコントローラ３２０、ゲートドライバ１３０〜１３５、及びインバータ回路３４０、１４１〜１４５、フィードバック回路３６０及び帰還信号保持回路２７０は、電流安定化回路を構成する。
【００５０】
＜回路動作＞
冷陰極管ブロック１５０が点灯中は、フィードバック回路３６０が動作し、フィードバック回路３６０から出力される電流帰還信号ＦＢが帰還信号保持回路２７０の保持用キャパシタＣに保持される。この保持用キャパシタＣに保持された電流帰還信号ＦＢの電圧により、インバータコントローラ１２０では、駆動パルス信号Ｎ１及びＮ２は、各冷陰極管ブロック１５０〜１５５に流れる冷陰極管電流が目標値（基準電圧に基づくデューティ比）になるように制御される。
【００５１】
冷陰極管ブロック１５０が消灯中は、保持用キャパシタＣにおける電流帰還信号ＦＢの保持が維持される。すなわち、帰還信号保持回路２７０における保持用キャパシタＣによる電流帰還信号ＦＢの保持／放電動作は、冷陰極管ブロック１５０が点灯動作／消灯動作に同期するローカルディミングコントローラ１１０から出力されるブロック別点灯時間制御信号ＰＷＭ０が“Ｈｉ：点灯”の時に保持した電圧を維持することになる。このため、冷陰極管ブロック１５０が消灯中であっても、インバータコントローラ１２０は、保持用キャパシタＣに保持された電流帰還信号ＦＢの電圧に応じて調整した駆動パルス信号Ｎ１及びＮ２を他の冷陰極管ブロック１５１〜１５５に対して出力することが可能になるため、他の冷陰極管ブロック１５１〜１５５に流れる陰極管電流も目標値に各々制御される。
【００５２】
以上のように、本発明の実施形態３に係るバックライト装置３００では、冷陰極管ブロック１５０〜１５５のブロック数に関わらずフィードバック機能を追加してインバータコントローラ１２０を一つで構成することが可能になる。したがって、本発明の実施形態３に係るバックライト装置３００は、図１に示した従来のバックライト装置１と比べてインバータコントローラ１２０の回路数を削減し、かつ、フィードバック機能を最小限の回路構成で追加することができ、バックライト装置の回路構成を小型化、省電力化及び低コスト化を図ることが可能になる。また、本発明の実施形態３に係るバックライト装置３００は、一つの冷陰極管ブロック１５０に流れる電流の変動に応じて、当該冷陰極管ブロック１５０及び他の複数の冷陰極管ブロック１５１〜１５５の各点灯時間を設定する各駆動パルス信号のデューティ比を適宜調整することが可能になる。さらに、本発明の実施形態３に係るバックライト装置３００では、フィードバック回路３６０では、インバータトランスＴ１の一次側コイルに直列に接続された電流検出用トランスＣＴを用いるため、上記実施形態２の図３に示したフィードバック回路２６０に比べて耐圧の低い回路を構成することが可能になる。
【００５３】
次に、上記実施形態１〜実施形態３に示したバックライト装置１００〜３００において用いたゲートドライバ１３０の回路構成例について図５を参照して説明する。図５は、ゲートドライバ１３０の回路構成を示す図である。
【００５４】
図５において、ゲートドライバ１３０は、図２〜図４に示したインバータ回路１４０、２４０及び３４０内のＦＥＴ１〜ＦＥＴ４のうち、ＦＥＴ１及びＦＥＴ２を駆動制御する第１の駆動制御回路１３０ａと、ＦＥＴ３及びＦＥＴ４を駆動制御する第２の駆動制御回路１３０ｂと、上記駆動パルス信号Ｎ１及びＮ２の第１の駆動制御回路１３０ａ内及び第２の駆動制御回路１３０ｂ内における通電／遮断（ＯＮ／ＯＦＦ）を制御する通電／遮断制御回路１３０ｃと、を有する。
【００５５】
第１の駆動制御回路１３０ａは、上記インバータコントローラ１２０から出力される駆動パルス信号Ｎ１に応じてインバータ回路１４０、２４０及び３４０内のＦＥＴ１及びＦＥＴ２を駆動制御する。第２の駆動制御回路１３０ｂは、上記インバータコントローラ１２０から出力される駆動パルス信号Ｎ２に応じてインバータ回路１４０、２４０及び３４０内のＦＥＴ３及びＦＥＴ４を駆動制御する。
【００５６】
通電／遮断制御回路１３０ｃは、上記ローカルディミングコントローラ１１０から出力されるブロック別点灯時間制御信号ＰＷＭ０が“Ｈｉ：点灯”の時に駆動パルス信号Ｎ１及びＮ２を第１の駆動制御回路１３０ａ内及び第２の駆動制御回路１３０ｂ内に対して通電し、ブロック別点灯時間制御信号ＰＷＭ０が“Ｌｏｗ：消灯”の時に駆動パルス信号Ｎ１及びＮ２を第１の駆動制御回路１３０ａ内及び第２の駆動制御回路１３０ｂ内に対して遮断する。
【００５７】
図５に示したゲートドライバ１３０の回路構成は、他のゲートドライバ１５１〜１５５も同様の回路構成である。なお、図５に示したゲートドライバ１３０の回路構成に限定するものではなく、インバータコントローラ１２０から出力される駆動パルス信号Ｎ１及びＮ２と、ローカルディミングコントローラ１１０から出力されるブロック別点灯時間制御信号ＰＷＭ０と、に応じて上記動作を実現する回路構成であればよい。
【００５８】
（実施形態４）
次に、バックライト装置の具体的な回路構成例について図６を参照して説明する。
【００５９】
＜回路構成＞
図６は、本発明の実施形態４に係るバックライト装置４００の回路構成を示す図である。図６において、バックライト装置４００は、インバータコントローラ及び駆動制御回路４１０と、インバータトランスＴ２と、トランススイッチ回路４２０〜４２６と、冷陰極管ブロック４３０〜４３６と、フィードバック回路４６０と、帰還信号保持回路４７０と、を備える。
【００６０】
インバータコントローラ及び駆動制御回路４１０は、ＯＰアンプＥ１〜Ｅ４を有し、入力段はフィードバック回路４６０及び帰還信号保持回路４７０に接続され、出力段はインバータトランスＴ２の入力段に接続されている。インバータコントローラ及び駆動制御回路４１０は、帰還信号保持回路４７０の保持用キャパシタＣに保持された電流帰還信号ＦＢの電圧に応じて各冷陰極管ブロック４３０〜５３６に流れる冷陰極管電流が目標値になるような駆動パルス信号ＤＲＶ１及びＤＲＶ２をインバータトランスＴ２に対して出力する。インバータトランスＴ２は、インバータコントローラ及び駆動制御回路４１０から出力される駆動パルス信号ＤＲＶ１及びＤＲＶ２により所定の駆動電圧をトランススイッチ回路４２０〜４２６の入力段に印加する。
【００６１】
トランススイッチ回路４２０〜４２６は、スイッチングトランスＴ３、Ｔ５、Ｔ６〜Ｔ１０と、２つのスイッチングＦＥＴ（Ｍ１及びＭ２、Ｍ３及びＭ４、Ｍ５及びＭ６、Ｍ７及びＭ８、Ｍ９及びＭ１０、Ｍ１１及びＭ１２、Ｍ１３及びＭ１４）を、それぞれ有する。トランススイッチ回路４２０〜４２６は、各スイッチングトランスＴ３、Ｔ５、Ｔ６〜Ｔ１０の入力段はインバータトランスＴ２の出力段に接続され、各スイッチングトランスＴ３、Ｔ５、Ｔ６〜Ｔ１０の出力段は冷陰極管ブロック４３０〜４３６の各入力段に接続されている。また、トランススイッチ回路４２０〜４２６は、スイッチングＦＥＴ（Ｍ１、Ｍ３、Ｍ５、Ｍ７、Ｍ９、Ｍ１１、及びＭ１３）のゲート電極は外部のローカルディミングコントローラ（図示せず）の出力段と接続され、スイッチングＦＥＴ（Ｍ２、Ｍ４、Ｍ６、Ｍ８、Ｍ１０、Ｍ１２、及びＭ１４）のドレイン電極はスイッチングトランスＴ３、Ｔ５、Ｔ６〜Ｔ１０の出力段に接続されている。各トランススイッチ回路４２０〜４２６は、インバータトランスＴ２により印加される駆動電圧と、スイッチングＦＥＴ（Ｍ１、Ｍ３、Ｍ５、Ｍ７、Ｍ９、Ｍ１１、及びＭ１３）の各ゲート電極に対して外部のローカルディミングコントローラから入力されるブロック別点灯時間制御信号ＰＷＭ１〜ＰＷＭ５と、に応じて、スイッチングトランスＴ３、Ｔ５、Ｔ６〜Ｔ１０から高圧交流電圧を発生して各冷陰極管ブロック４３００〜４３６内の冷陰極管ＬＡ１〜ＬＡ１４に供給して、ブロック単位で冷陰極管ＬＡ１〜ＬＡ１４を時分割に点灯／消灯させる。スイッチングトランスＴ３、Ｔ５、Ｔ６〜Ｔ１０の具体的な回路構成例を図７に示す。なお、スイッチングトランスＴ３、Ｔ５、Ｔ６〜Ｔ１０の回路構成は、図７に示す回路構成に限るものではない。
【００６２】
フィードバック回路４６０は、トランススイッチ回路４２０内のスイッチングＦＥＴ＿Ｍ１のドレイン電極に直列に接続された電流検出用トランスＣＴと、ダイオードＤ４６及びＤ４７と、を有する。フィードバック回路４６０は、トランススイッチ回路４２０内のスイッチングトランスＴ３の一次側コイルに流れる電流を電流検出用トランスＣＴにより検出し、この電流検出用トランスＣＴにより検出される電圧をダイオードＤ４６及びＤ４７を介して電流帰還信号ＦＢとしてインバータコントローラ及び駆動制御回路４１０と帰還信号保持回路４７０に出力する。
【００６３】
帰還信号保持回路４７０は、電流帰還信号ＦＢを保持する保持用キャパシタＣ３２と、電流帰還信号ＦＢの保持動作を切り替える保持用ＦＥＴ＿Ｓ１と、を有する。保持用ＦＥＴ＿Ｓ１は、ローカルディミングコントローラから出力されるブロック別点灯時間制御信号ＰＷＭ０に応じてＯＮ／ＯＦＦし、ＯＦＦ時に保持用キャパシタＣ３２による電流帰還信号ＦＢの保持動作を維持し、ＯＮ時に保持用キャパシタＣ３２に保持された電流帰還信号ＦＢを放電させる。
【００６４】
＜回路動作＞
トランススイッチ回路４２０は、スイッチングＦＥＴＭ１及びＭ２がＯＮの時は、スイッチングトランスＴ３の二次側コイルのインダクタンス値が低下し、冷陰極管ブロック４３０内の冷陰極管ＬＡ１及びＬＡ２が点灯する。また、トランススイッチ回路４２０は、スイッチングＦＥＴＭ１及びＭ２がＯＦＦの時は、スイッチングトランスＴ３の二次側コイルのインダクタンス値が上昇し、冷陰極管ブロック４３０内の冷陰極管ＬＡ１及びＬＡ２が消灯する。
【００６５】
冷陰極管ブロック４３０が点灯中は、フィードバック回路４６０が動作し、フィードバック回路４６０から出力される電流帰還信号ＦＢが帰還信号保持回路４７０の保持用キャパシタＣ３２に保持される。この保持用キャパシタＣ３２に保持された電流帰還信号ＦＢの電圧により、インバータコントローラ及び駆動制御回路４１０では、駆動パルス信号ＤＲＶ１及びＤＲＶ２は、各冷陰極管ブロック４３０〜４３６に流れる冷陰極管電流が目標値になるように制御される。
【００６６】
冷陰極管ブロック４３０が消灯中は、保持用キャパシタＣ３２における電流帰還信号ＦＢの保持が維持される。すなわち、帰還信号保持回路４７０における保持用キャパシタＣ３２による電流帰還信号ＦＢの保持／放電動作は、冷陰極管ブロック４３０が点灯動作／消灯動作に同期するローカルディミングコントローラから出力されるブロック別点灯時間制御信号ＰＷＭ０が“Ｈｉ：点灯”の時に保持、ブロック別点灯時間制御信号ＰＷＭ０が“Ｌｏｗ：消灯”の時に保持した電圧を維持することになる。このため、冷陰極管ブロック４３０が消灯中であっても、インバータコントローラ及び駆動制御回路４１０は、保持用キャパシタＣに保持された電流帰還信号ＦＢの電圧に応じて調整した駆動パルス信号ＤＲＶ１及びＤＲＶ２を他の冷陰極管ブロック４３１〜４３６に対して出力することが可能になるため、他の冷陰極管ブロック４３１〜４３６に流れる陰極管電流も目標値に各々制御される。
【００６７】
以上のように、本発明の実施例１に係るバックライト装置４００では、冷陰極管ブロック４３０〜４３６のブロック数に関わらず、一般的に高価な集中給電型のインバータトランスＴ２及びインバータコントローラ及び駆動制御回路４１０を一つで構成することが可能になる。したがって、本発明の実施例１に係るバックライト装置４００は、図１に示した従来のバックライト装置１と比べてインバータコントローラ１２０の回路数を削減し、かつ、フィードバック機能を最小限の回路構成で追加することができ、バックライト装置の回路構成を小型化、省電力化及び低コスト化を図ることが可能になる。
【００６８】
次に、上記実施形態２及び実施形態３に示したインバータコントローラ２２０、３２０の具体的な回路構成例について図８を参照して説明する。図８において、インバータコントローラ５００は、オペアンプ５１０と、発振器５２０と、ＰＷＭ生成部５３０と、位相シフト部５４０と、を備える。
【００６９】
オペアンプ５１０は、反転入力端子（−）にフィードバック回路（図示せず）から出力される電流帰還信号ＦＢが保持用キャパシタＣで保持された電圧が入力され、非反転入力端子（＋）には基準電圧が入力される。オペアンプ５１０は、基準電圧と電流帰還信号ＦＢの電圧を比較し、その比較結果である差分電圧を出力する。
【００７０】
発振器５２０は、駆動パルス信号の基準となる基準パルス信号を発生してＰＷＭ生成部５３０に出力する。ＰＷＭ生成部５３０は、オペアンプ５１０から入力される差分電圧に応じて発振器５２０から入力される基準パルス信号のデューティ比を変更して駆動パルス信号を出力端子から駆動パルス信号ＮＡとして出力するとともに、その駆動パルス信号を位相シフト部５４０に出力する。位相シフト部５４０は、ＰＷＭ生成部５３０から入力される駆動パルス信号の位相を１８０°シフトして出力端子から駆動パルス信号ＮＢとして出力する。
【００７１】
このインバータコントローラ５００から出力される駆動パルス信号ＮＡ及びＮＢは、例えば、図３及び図４に示した駆動パルス信号Ｎ１及びＮ２に相当する。例えば、駆動パルス信号ＮＡは、インバータ回路１４０（２４０）のＦＥＴ１及びＦＥＴ２のＯＮ期間を制御し、駆動パルス信号ＮＢは、インバータ回路１４０（２４０）のＦＥＴ３及びＦＥＴ４のＯＮ期間を制御する。
【００７２】
なお、図８に示したインバータコントローラ５００の回路構成に限定するものではなく、電流帰還信号ＦＢの電圧に応じて駆動パルス信号のデューティ比を調整する上記動作を実現する回路構成であればよい。
【００７３】
（実施例１）
次に、上記実施形態３において図４に示したバックライト装置３００の具体的な動作例について図９を参照して説明する。図９は、図４に示したバックライト装置３００において、冷陰極管ブロック１５０及び１５１を点灯制御する駆動パルス信号と、冷陰極管ブロック１５０及び１５１に流れる冷陰極管電流と、を測定した波形を示す図である。
【００７４】
図９（Ａ）は、冷陰極管ブロック１５０（図中ではＢｌｏｃｋ１）をデューティ比８０％で駆動した場合の駆動パルス信号（図中ではＤｉｍｍｉｍｇ  Ｐｕｌｓｅ）と、冷陰極管ブロック１５０に流れる冷陰極管電流（図中ではＬａｍｐ  Ｃｕｒｒｅｎｔ）とを測定した結果を示す。図９（Ｂ）は、冷陰極管ブロック１５１（図中ではＢｌｏｃｋ２）をデューティ比２０％で駆動した場合の駆動パルス信号（図中ではＤｉｍｍｉｍｇ  Ｐｕｌｓｅ）と、冷陰極管ブロック１５１に流れる冷陰極管電流（図中ではＬａｍｐ  Ｃｕｒｒｅｎｔ）とを測定した結果を示す。
【００７５】
以上の測定結果により、図４に示したバックライト装置３００において用いたインバータコントローラ３２０、フィードバック回路３６０及び帰還信号保持回路２７０は、正常に動作することを確認した。
【００７６】
（実施形態５）
次に、上記図４に示したバックライト装置３００を含む液晶表示装置について図１０に示すブロック図を参照して説明する。図１０に示すように、液晶表示装置９００は、ＡＣ／ＤＣ電源装置９１０と、ＬＣＤモジュール部９２０と、バックライト装置９３０と、を備える。
【００７７】
ＡＣ／ＤＣ電源装置９１０は、コンセント９１１、ＡＣ／ＤＣ整流部９１２、及びＤＣ／ＤＣコンバータ９１３から構成され、外部の商用交流電源電圧１００Ｖ又は２４０Ｖを直流電源電圧に変換してＬＣＤモジュール部９２０に出力する。
【００７８】
ＬＣＤモジュール部９２０は、ＤＣ／ＤＣコンバータ９２１、共通電極電圧発生部（Ｖｃｏｍ発生部）９２２、γ電圧発生部９２３、ＬＣＤパネル部９２４、及びバックライト装置９３０から構成され、外部のグラフィックコントローラ（図示せず）から入力される画像データに応じた画像を表示する。ＬＣＤパネル部９２４は、複数の液晶素子がゲートドライバ部とデータドライバ部から各々伸びる複数のデータ線と複数のゲート線が交差する部分に各々接続されている。複数の液晶素子は、表示画像領域毎に分割されて、その表示画像領域毎に階調が制御される。
【００７９】
共通電極電圧発生部９２２は、ＤＣ／ＤＣコンバータ９２１においてレベル変換されて供給される直流電圧に基づいて共通電極電圧Ｖｃｏｍを発生してＬＣＤパネル部９２４に出力する。
【００８０】
γ電圧発生部９２３は、ＤＣ／ＤＣコンバータ９２１においてレベル変換された直流電圧に基づいてγ電圧Ｖｄｄを発生してＬＣＤパネル部９２４に供給する。図１０では、共通電極電圧発生部９２２とγ電圧発生部９２３がＬＣＤパネル部９２４から分離されている例を示したが、これらをＬＣＤパネル部９２４に含ませて構成することもできる。
【００８１】
バックライト装置９３０は、インバータ部９３１及びバックライト部９３２から構成される。インバータ部９３１には、上記図４に示したインバータコントローラ３２０、ゲートドライバ１３０〜１３５、インバータ回路１４０〜１４５、フィードバック回路３６０及び帰還信号保持回路２７０が含まれる。冷陰極管ブロック群に含まれる複数の冷陰極管ブロック１５０〜１５５は、上記表示画像領域毎に分割されている。複数の冷陰極管ブロック１５０〜１５５は、入力画像をＬＣＤパネル部９２４に表示する際に、その入力画像を上記表示画像領域毎に分割した輝度に合わせて階調を制御するため、冷陰極管ブロック毎に点灯時間が時分割制御される。
【００８２】
液晶表示装置９００は、バックライト装置９３０内のインバータ部９３１に上述したインバータコントローラ３２０を備えたため、インバータコントローラ３２０の回路数を削減し、かつ、フィードバック機能を最小限の回路構成で追加することができ、バックライト装置の回路構成を小型化、省電力化及び低コスト化を図ることが可能になる。なお、ＡＣ／ＤＣ電源装置９１０をＬＣＤモジュール部９２０に内蔵させてもよい。
【００８３】
図１１は、実施形態５に係る液晶表示装置の構造を示す分解斜視図である。図１１は、液晶表示装置の回路構成ではなく、機構を図示したものである。図１１に示すように、液晶表示装置１０００は、バックライトアセンブリ１０１０、ディスプレイユニット１０２０及び収納容器１０３０を備える。
【００８４】
ディスプレイユニット１０７０は、映像を表示する液晶表示パネル１０７１、液晶表示パネル１０７１を駆動するための駆動信号を出力するデータ印刷回路１０７２及びゲート印刷回路１０７３を含む。データ印刷回路１０７２及びゲート印刷回路１０７３は、それぞれデータテープキャリアパッケージ（Ｔａｐｅ  Ｃａｒｒｉｅｒ  Ｐａｃｋａｇｅ、以下、ＴＣＰという）１０７４及びゲートＴＣＰ１０７５を通じて液晶表示パネル１０７１と電気的に連結される。
【００８５】
液晶表示パネル１０７１は、薄膜トランジスタ（以下、ＴＦＴという）基板１０７６、ＴＦＴ基板１０７６に対向して結合されるカラーフィルタ基板１０７７及び両基板１０７６、１０７７の間に介在されて液晶１０７８を含む。
【００８６】
ＴＦＴ基板１０７６は、例えば、スイッチング素子であるＴＦＴ（図示せず）がマトリクス状に形成された透明なガラス基板である。ＴＦＴのソース及びゲート端子には、それぞれデータ及びゲートラインが接続され、ドレイン端子には透明な導電性材質からなる共通電極（図示せず）が形成される。
【００８７】
カラーフィルタ基板１０７７は、例えば、色画素であるＲＧＢ画素（図示せず）が薄膜工程によって形成された基板である。カラーフィルタ基板１０７７は、透明な導電性材質からなる共通電極（図示せず）が形成される。
【００８８】
収容容器１０８０は、底面１０８１及び底面１０８１のエッジ部に収納空間を形成するために形成された側壁１０８２により構成される。収容容器１０８０は、バックライトアセンブリ１０１０及び液晶表示パネル１０７１が移動しないように固定する。
【００８９】
底面１０８１は、バックライトアセンブリ１０１０が装着されるのに十分な底面面積を有し、バックライトアセンブリ１０１０と同じ構成を有することが好ましい。この例では、底面１０８１及びバックライトアセンブリ１０１０は、四角いプレート形状を有する。側壁１０８２は、バックライトアセンブリ１０１０が外部に離脱することのないように底面１０８１のエッジ部から略垂直に延長される。
【００９０】
この例における液晶表示装置１０００は、インバータ１０６０及びトップシャーシ１０９０をさらに含む。
【００９１】
インバータ１０６０は、収容容器１０８０の外部に配置され、バックライトアセンブリ１０１０を駆動するための放電電圧を発生させる。インバータ１０６０から発生された放電電圧は、第１電源印加線１０６３及び第２電源印加線１０６４を通じてバックライトアセンブリ１０１０に印加される。第１電源印加線１０６３及び第２電源印加線１０６４は、バックライトアセンブリ１０１０の両側部に形成された第１電極１０４０ａ及び第２電極１０４０ｂに直接接続してもよいし、別の部材（図示せず）を利用して第１電極１０４０ａ及び第２電極１０４０ｂに接続してもよい。また、インバータコントローラ３２０、ゲートドライバ１３０〜１３５、インバータ回路１４０〜１４５、フィードバック回路３６０及び帰還信号保持回路２７０は、インバータ１０６０に内蔵される。
【００９２】
トップシャーシ１０９０は、液晶表示パネル１０７１のエッジ部を囲みながら収容容器１０８０に結合される。トップシャーシ１０９０を設けることにより、外部からの衝撃に対する液晶表示パネル１０７１の破損を防止し、液晶表示パネル１０７１が収容容器１０８０から離脱することを防止することができる。
【００９３】
この液晶表示装置１０００は、バックライトアセンブリ１０１０から出射される光の特性を向上させるための少なくとも一枚の光学シート１０９５をさらに含んでもよい。光学シート１０９５は、光を拡散するための拡散シート又は光を集光するためのプリズムシートを含んでもよい。
【００９４】
したがって、集中給電型のインバータを備えた液晶表示装置において、インバータ１０６０に上述したインバータコントローラ３２０、ゲートドライバ１３０〜１３５、インバータ回路１４０〜１４５、フィードバック回路３６０及び帰還信号保持回路２７０を備えたため、インバータコントローラ３２０の回路数を削減し、かつ、フィードバック機能を最小限の回路構成で追加することができ、インバータ１０６０の回路構成を小型化、省電力化及び低コスト化を図ることが可能になる。また、液晶表示装置１０００に上記実施形態１〜３及び実施例１のバックライト装置１００，２００，３００，又は４００を適用することにより、入力画像の輝度に合わせて表示画像の輝度を冷陰極管ブロックのブロック単位で点灯状態を高速にスイッチングする機能（スキャニング制御機能又はブロック別点灯時間制御機能（Ｌｏｃａｌ  Ｄｉｍｍｉｎｇ）等）に対応することが可能になり、画像品質の向上にも寄与することが可能になる。
【００９５】
なお、上記実施形態１〜実施形態５及び実施例１に示したバックライト装置は、小型サイズや中型サイズの液晶パネルではなく、比較的大型の液晶パネルに適用することが好ましい。
【符号の説明】
【００９６】
１００，２００，３００，４００…バックライト装置、１２０，２２０，３２０…インバータコントローラ、１３０〜１３５…ゲートドライバ、１４０〜１４５…インバータ回路、１５０〜１５５…冷陰極管ブロック、２６０，３６０…フィードバック回路、２７０…帰還信号保持回路。
【図１】
2012015053.tif 000003
【図２】
2012015053.tif 000004
【図３】
2012015053.tif 000005
【図４】
2012015053.tif 000006
【図５】
2012015053.tif 000007
【図６】
2012015053.tif 000008
【図７】
2012015053.tif 000009
【図８】
2012015053.tif 000010
【図１０】
2012015053.tif 000011
【図１１】
2012015053.tif 000012
【図９】
2012015053.tif 000013